(57)【要約】【課題】  本発明は大型のバレル内より処理物を効率よく取り出して、効率よく処理作業を行なうことができるショットブラスト装置を得るにある。【解決手段】  一側壁が開口されたブラスト処理室が形成されたケース体と、このケース体の開口された一側壁の外方へ突出するように固定された固定レールと、この固定レールに案内されてスライド移動する、ケース体の開口する一側壁を開閉する開閉扉と、この開閉扉に取付けられたケース体内に固定された内側固定レールに案内されてスライド移動するバレル支持フレームと、このバレル支持フレームに回転可能で、かつ傾斜状態で取付けられたバレルと、このバレルを回転駆動させる、バレル支持フレームに取付けられたバレル駆動装置と、バレルの壁面に該バレルを開口するように取付けられたスライド移動あるいはヒンジ部材を用いた扉の開閉扉とでショットブラスト装置を構成している。【選択図】  図２
2015062965.tif 000002
【特許請求の範囲】
【請求項１】
一側壁が開口されたブラスト処理室が形成されたケース体と、このケース体の開口された一側壁の外方へ突出するように固定された固定レールと、この固定レールに案内されてスライド移動する、前記ケース体の開口する一側壁を開閉する開閉扉と、この開閉扉に取付けられた前記ケース体内に固定された内側固定レールに案内されてスライド移動するバレル支持フレームと、このバレル支持フレームに回転可能で、かつ傾斜状態で取付けられたバレルと、このバレルを回転駆動させる、前記バレル支持フレームに取付けられたバレル駆動装置と、前記バレルの壁面に該バレルを開口するように取付けられたスライド移動あるいはヒンジ部材を用いた扉の開閉扉とを備えたことを特徴とするショットブラスト装置。
【請求項２】
ケース体には該ケース体内に位置するバレルの投入口より内部へ投射材を投射するインペラーを用いた投射機が取付けられていることを特徴とする請求項１記載のショットブラスト装置。
【請求項３】
ケース体のブラスト処理室の下部位置にはホッパーが設けられ、該ホッパーの下部位置には該ホッパーから落下するバリや投射材を選別する選別装置が配置されていることを特徴とする請求項１または請求項２いずれかに記載のショットブラスト装置。
【発明の詳細な説明】
【技術分野】
【０００１】
本発明はバリ取りを行なう処理物が大型で、大量に処理する場合に使用する大型にしたショットブラスト装置に関する。
【背景技術】
【０００２】
従来のショットブラスト装置は、小さな成型品に付着している微細なバリを除去する場合に使用されている。
【０００３】
しかしながら、最近、大きな成型品に付着しているバリを除去するのに使用したいという話があり、この対策としてバレルの大型化、投射材、投射機の大型化で対応しているが、このような対策では大型化したバレル内で処理した処理物の取り出しが大変で、手数がかかり、効率よくショットブラスト装置を駆動させることができないという問題となる欠点があった。
【先行技術文献】
【特許文献】
【０００４】
【特許文献１】特開２００４−２０９６０４号公報
【発明の概要】
【発明が解決しようとする課題】
【０００５】
本発明は以上のような従来の欠点に鑑み、大型のバレル内より処理物を効率よく取り出して、効率よく処理作業を行なうことができるショットブラスト装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は一側壁が開口されたブラスト処理室が形成されたケース体と、このケース体の開口された一側壁の外方へ突出するように固定された固定レールと、この固定レールに案内されてスライド移動する、前記ケース体の開口する一側壁を開閉する開閉扉と、この開閉扉に取付けられた前記ケース体内に固定された内側固定レールに案内されてスライド移動するバレル支持フレームと、このバレル支持フレームに回転可能で、かつ傾斜状態で取付けられたバレルと、このバレルを回転駆動させる、前記バレル支持フレームに取付けられたバレル駆動装置と、前記バレルの壁面に該バレルを開口するように取付けられたスライド移動あるいはヒンジ部材を用いた扉の開閉扉とでショットブラスト装置を構成している。
【発明の効果】
【０００８】
以上の説明から明らかなように、本発明にあっては次に列挙する効果が得られる。
（１）請求項１により開閉蓋に取付けられたバレル支持フレームに回転可能なバレルが取付けられているので、バレルをケース体外へ引き出すことができる。
したがって、バレルから処理物を取り出しやすくするためのケース体を、必要以上に大きくしなくてもよい。
（２）前記（１）により、バレルに開閉扉を取付けているので、バレルをケース体外に引き出した時に、開閉扉を開放することにより、容易にバレル内の処理物を外方へ取り出すことができる。
（３）前記（１）により、バレルの開閉扉をケース体外へバレルを位置したところで開閉するので、バレルから処理物を取り出すための回動操作できるようにケース体を大きく設計する必要がなく、比較的に構造が簡単で、小さく設定することができる。
（４）請求項２、３も前記（１）〜（３）と同様な効果が得られる。
【図面の簡単な説明】
【０００９】
【図１】本発明を実施するための第１の形態の断面図。
【図２】本発明を実施するための第１の形態のバレルを外方に位置させた状態の正面図。
【図３】本発明を実施するための第１の形態のバレルの正面図。
【図４】図３の４−４線に沿う断面図。
【図５】図４の５−５線に沿う断面図。
【図６】本発明を実施するための第１の形態の投射機の投射材の投射状態の説明図。
【図７】本発明を実施するための第１の形態のバレルの取付け状態の説明図。
【図８】本発明を実施するための第２の形態の断面図。
【図９】本発明を実施するための第２の形態のバレルを外方へ位置させた状態の正面図。
【図１０】本発明を実施するための第２の形態のバレルの正面図。
【図１１】本発明を実施するための第３の形態の断面図。
【図１２】本発明を実施するための第３の形態のバレルを外方へ位置させた状態の正面図。
【図１３】本発明を実施するための第３の形態のバレルの正面図。
【発明を実施するための形態】
【００１０】
以下、図面に示す本発明を実施するための形態により、本発明を詳細に説明する。
【００１１】
図１ないし図７に示す本発明を実施するための第１の形態において、１は大型の成型品（処理物）よりバリを除去する本発明の大型のショットブラスト装置で、この大型のショットブラスト装置１は一側壁が開口２されたブラスト処理室３が形成された支持台４の中央部より後端部位置に設置されたケース体５と、このケース体５の開口２された一側壁の外方へ突出するように、前記支持台４あるいは前記ケース体５の下部前後の外壁面に固定された固定レール６、６と、この固定レール６、６に案内されてスライド移動する、前記ケース体５の開口２する一側壁を開閉する開閉扉７と、この開閉扉７の内壁面７ａに取付けられた前記ケース体５内に固定された内側固定レール８、８、８に案内されてスライド移動するバレル支持フレーム９と、このバレル支持フレーム９に回転可能で、かつ傾斜状態で取付けられた約２６ｋｇの大型のバレル１０と、この大型のバレル１０を回転駆動させる、前記バレル支持フレーム９および前記開閉扉７に取付けられたバレル駆動装置１１と、前記大型のバレル１０の壁面に、該大型のバレル１０を開口するように取付けられたスライド移動する開閉蓋１２と、前記ケース体５の前部の外壁上面に傾斜状態の千鳥状態に設置された、前記大型のバレル１０内の処理物１３へ投射材１４を、インペラー１５を用いて投射する２台の投射機１６、１６と、前記ケース体５の下部位置で、前記大型バレル１０のスライド移動ができる部位に固定されたホッパー１７と、このホッパー１７の下部位置の前記支持台４に取付けられた、該ホッパー１７からの大バリ、投射材、小バリが落下してくるのを受けて選別する選別装置１８と、この選抜装置１８で選別された大バリを収納する大バリ収納容器１９と、前記選別装置１８で選別された投射材１４を前記投射機１６、１６の吸引ホース２０、２０を介して供給できるように設けられた投射材貯槽２１と、前記選別装置１８で選別された小バリを収納する小バリ収納容器２２と、前記ケース体５のブラスト処理室３内へ、必要に応じて冷媒を供給する冷媒供給装置２３とで構成されている。
【００１２】
なお、前記ケース体５の前部の外壁上面に傾斜状態の千鳥状態に設置した２台の投射機１６、１６は、前記大型のバレル１０を反時計廻りに回転させると、処理物１３は大型のバレル１０の下部位置より、右側に位置するように移動するので、大型のバレル１０の下部位置に位置した処理物１３と大型のバレル１０の右側に移動して、重力で下部位置へ落下する処理物１３に投射材を的確で、かつ大型のバレル１０の軸心方向(大型のバレル１０の前後方向)に幅広く投射できるようにするためである。
【００１３】
前記大型のバレル１０は八角形状で、上・下部が小径となる多数個の孔２４が形成された一辺の下部壁２５と中央部壁２６のない八角筒状のバレル本体２７と、このバレル本体２７の一辺の下部壁２５と中央部壁２６のない部分の下部壁２５、２５の端部に形成されたスライドレール２８、２８と、このスライドレール２８、２８と係合し、上方へスライド移動する多数個の孔２４が形成された下部壁２５ａと中央部壁２６ａとからなる取っ手２９が設けられた開閉蓋１２と、この開閉蓋１２の閉状態を保つ係止具２９と、前記バレル本体２７の底面を覆う中央部が内側へ突出する円錐、円錐台形状、多角錐、多角錐台形に形成された底板３０と、前記バレル本体２７の内壁面に、該バレル本体２７の投入口３１側の先端部３２ａより底面側の後端部３２ｂが、回転方向が先に位置するように傾斜３２ｃ状態で固定された、ほぼ三角形状の撹拌板本体３２、この撹拌板本体３２の後端部３２ｂ側を除く部位の先端部３２ａに形成された、該撹拌板本体３２に乗った処理物１３を前記バレル本体２７の底面方向に案内する返し板３３、この返し板３３のバレル本体２７の投入口３１側の先端部に折り曲げ形成された脱落防止部３４とからなる撹拌板３５とで構成されている。
【００１４】
なお、ケース体５の開口２を閉じる開閉扉７には閉じた状態を保持する、該ケース体５と開閉扉７に係止具３６が取付けられている。なお、この係止具３６は既存のものであれば、どんな構造のものであってもよいが、簡単に係止や係止解除できるものがよい。
【００１５】
上記構成のショットブラスト装置１はケース体５より大型のバレル１０を外側に位置させたところで、大型のバレル１０内にバリを除去する大型の処理物１３を投入する。
【００１６】
次に、開閉扉７をケース体５方向に押込むと、固定レール６、６、内側固定レール８、８、８に沿って開閉扉７およびバレル支持フレーム９がスライド移動し、ケース体５の開口２を開閉扉７で覆ったところで、係止具３６でケース体５に開閉扉７を係止させる。
【００１７】
しかる後、バレル駆動装置１１の開閉扉７に取付けられたモーター３７を駆動させることにより、バレル駆動装置１１が駆動して、大型のバレル１０を回転させる。
【００１８】
また、２台の投射機１６、１６を駆動させることにより、インペラー１５、１５が回転し、吸引ホース２０、２０により投射材貯槽２１の投射材１４を吸引し、インペラー１５、１５で大型のバレル１０内の処理物１３へ、投射材１４を投射する。
【００１９】
なお、投射機１６、１６の駆動時にバリを冷却すると除去しやすい場合には、ブラスト処理室３内に冷媒供給装置２３の開閉弁３８を開放し、冷媒を供給して行なう。
【００２０】
大型のバレル１０内に収納された処理物１３は、大型のバレル１０が回転するとともに、撹拌板３５によって撹拌板本体３２上に処理物１３が乗り、返し板３３で撹拌板本体３２に乗った処理物１３を落とすことなく、上方へ押し上げられると、返し板３３の後端部３３ｂ側へ処理物１３がスライド移動して、大型のバレル１０の底面へ落下させる。
【００２１】
このことにより、処理物１３を大型のバレル１０の投入口３１と底板３０方向（大型のバレル１０の軸心方向である前後方向）にスライド移動させながら撹拌することができ、効率のよい処理物１３の撹拌ができる。
【００２２】
大型のバレル１０内の処理物１３からバリが除去されたところで、投射機１６、１６の駆動を停止するとともに、バレル駆動装置１１も停止する。
【００２３】
次に、係止具３６の係止を解除し、開閉扉７を開放方向にスライド移動させ、開閉扉７に取付けられているバレル支持フレーム９もケース体５外に移動させることにより、大型のバレル１０もケース体５外に位置する。
【００２４】
この状態で大型のバレル１０の開閉蓋１２を下部に位置させ、係止具２９ａの係止状態を開放状態にし、取っ手２９で上方へ移動させ、開口３９し、該開口３９よりバリが除去された処理物１３を下方の処理物収納容器４０へ落下排出する。
【００２５】
大型のバレル１０から処理物１３が排出されると、開閉蓋１２を閉じ、係止具２９で係止した後、大型のバレル１０の上部投入口３１より処理する大型の処理物１３を投入する。
【００２６】
しかる後、開閉扉７をケース体５の開口２を閉じる方向に押込み、前述と同様な操作を行なって、処理物１３からバリを除去する作業を行なう。
【００２７】
[発明を実施するための異なる形態]
次に、図８ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２８】
図８ないし図１０に示す本発明を実施するための第２の形態において、前記本発明を実施するための第１の形態と主に異なる点は、バレル本体２７に観音開き状のヒンジ部材４１、４１で取付けられた開閉蓋１２Ａを使用した大型のバレル１０Ａを用いた点で、このような大型のバレル１０Ａを用いたショットブラスト装置１Ａにしても、前記本発明を実施するための第１の形態と同様な作用効果が得られる。
【００２９】
図１１ないし図１３に示す本発明を実施するための第３の形態において、前記本発明を実施するための第１の形態と主に異なる点は、バレル本体２７にヒンジ部材４１を用いて開閉蓋１２Ｂを取付けた大型のバレル１０Ｂを使用した点で、このような大型のバレル１０Ｂを用いて構成したショットブラスト装置１Ｂにしても、前記本発明を実施するための第１の形態と同様な作用効果が得られる。
【００３０】
なお、前記本発明を実施するための各実施の形態では、ケース体５の開口２を開閉する開閉扉７を手動で操作するものについて説明したが、本発明はこれに限らず、開閉扉７を電動や油圧で移動させるものであってもよい。
【産業上の利用可能性】
【００３１】
本発明は大型な成型品の処理物より、バリ取り作業を大量に処理する場合に使用される大型のショットブラスト装置を製造する産業で利用される。
【符号の説明】
【００３２】
１、１Ａ、１Ｂ：大型のショットブラスト装置、
２：開口、        ３：ブラスト処理室、
４：支持台、        ５：ケース体、
６：固定レール、      ７：開閉扉、
８：内側固定レール、    ９：バレル支持フレーム、
１０、１０Ａ、１０Ｂ：バレル、  １１：バレル駆動装置、
１２、１２Ａ、１２Ｂ：開閉蓋、  １３：処理物、
１４：投射材、      １５：インペラー、
１６：投射機、      １７：ホッパー、
１８：選別装置、      １９：大バリ収納容器、
２０：吸引ホース、      ２１：投射材貯槽、
２２：小バリ収納容器、    ２３：冷媒供給装置、
２４：孔、        ２５：下部壁、
２６：中央部壁、      ２７：バレル本体、
２８：スライドレール、    ２９：取っ手、
２９ａ：係止具、
３０：底板、        ３１：投入口、
３２：撹拌板本体、      ３３：返し板、
３４：脱落防止部、      ３５：撹拌板、
３６：係止具、      ３７：モーター、
３８：開閉弁、      ３９：開口、
４０：処理物収納容器、    ４１：ヒンジ部材。
【図１】
2015062965.tif 000003
【図２】
2015062965.tif 000004
【図３】
2015062965.tif 000005
【図４】
2015062965.tif 000006
【図５】
2015062965.tif 000007
【図６】
2015062965.tif 000008
【図７】
2015062965.tif 000009
【図８】
2015062965.tif 000010
【図９】
2015062965.tif 000011
【図１０】
2015062965.tif 000012
【図１１】
2015062965.tif 000013
【図１２】
2015062965.tif 000014
【図１３】
2015062965.tif 000015